(57)【要約】  透明なプッシャー１０２と協働する投入開口を持つ投入シュート１００が開示される。透明なプッシャーは、食品加工要素１０６により加工するフードプロセッサ内に食料品を押し込むために、投入シュートを通りスライドするような寸法である。投入シュート１００は、消費者の安全な操作を保証するために、投入シュートの内部表面上に配される少なくとも１つの信号処理器１１０を有する。
2019524189.tif 000002
【特許請求の範囲】
【請求項１】
透明なプッシャーと協働している投入開口を持つ投入シュートであり、前記透明なプッシャーは、食物加工要素により加工するフードプロセッサ内に食料品を押し込むために、前記投入シュートを通りスライドするような寸法であり、前記投入シュートは、
前記投入シュートの内側表面上に配される少なくとも１つの信号処理器
を有する、投入シュート。
【請求項２】
前記少なくとも１つの信号処理器は、前記投入シュートの前記内側表面上に配される少なくとも１つのセンサから受信される信号を処理するように構成される、請求項１に記載の投入シュート。
【請求項３】
前記投入シュートの前記内側表面上に配される前記少なくとも１つのセンサは、前記食品加工要素から垂直距離で少なくとも１００ｍｍにある、請求項２に記載の投入シュート。
【請求項４】
前記少なくとも１つのセンサは、供給器及び検出器を有する、請求項３に記載の投入シュート。
【請求項５】
前記信号処理器は、動作中、
前記供給器からの信号が通過する食料品によりブロックされ、前記検出器により検出されていない間の期間である信号中断期間を測定する、及び
前記信号中断期間が既定のしきい値よりも大きいかを確認し、大きい場合、ｉ）前記フードプロセッサへの電源供給をオフに切り替える、ｉｉ）前記フードプロセッサへの電源供給がオフに切り替えられたことを消費者に通知する、
ように構成される、請求項４に記載の投入シュート。
【請求項６】
前記少なくとも１つのセンサは光ゲートである、請求項５に記載の投入シュート。
【請求項７】
前記投入シュート内で自分の手／腕／指をいじくっている消費者を検出するための前記既定のしきい値は１０００ミリ秒である、請求項６に記載の投入シュート。
【請求項８】
前記投入開口は、
ａ）前記投入開口の最大及び最小断面寸法の平均は、６５．５ｍｍよりも高い、
ｂ）前記投入開口の最大断面寸法は、７６ｍｍよりも高い
ような寸法である、請求項１乃至７の何れか一項に記載の投入シュート。
【請求項９】
請求項１乃至８の何れか一項に記載の投入シュートを有するフードプロセッサ。
【発明の詳細な説明】
【技術分野】
【０００１】
本発明は、フードプロセッサに関する、及び特にフードプロセッサの投入シュート(feed chute)組立体に関する。
【背景技術】
【０００２】
米国特許番号US4397427号は、フードプロセッサに送り込むための装置及び方法を開示している。開示されるフードプロセッサは、投入シュート組立体を有する。この投入シュート組立体は、加工される食料品を受け入れるために配される。
【発明の概要】
【発明が解決しようとする課題】
【０００３】
消費者は、例えば片付けている、掃除をしている又は食料品を押し込んでいる間、フードプロセッサが動作している間、意図せずに投入開口内にひっつかむ可能性がある。これは、消費者に危険な損傷をもたらす。
【課題を解決するための手段】
【０００４】
本発明の目的は、消費者の安全な操作を保証するフードプロセッサ用の改良された投入シュート組立体を提供することである。本発明は、独立請求項により定められる。従属請求項は、有利な実施例を定める。
【０００５】
本発明の目的は、透明なプッシャー(pusher)と協働する投入開口を持つ投入シュートを提供することにより達成される。透明なプッシャーは、食品加工要素により加工するフードプロセッサ内に食料品を押し込むために、投入シュートを通りスライドするような寸法である。投入シュートは、この投入シュートの内側表面上に配される少なくとも１つの信号処理器を有する。
【０００６】
開示される本発明は、消費者が危険な状況にいる間（例えばフードプロセッサが動作している間、消費者が意図せずに投入開口内にひっつかまる間、すなわち片付けている、掃除をしている又は食料品を押し込んでいる間）に生じる危険な損傷を防ぐための組み込まれる安全機構を提供する。
【０００７】
これは、投入シュートの内側表面又はその頂部に置かれる少なくとも１つの信号処理器を設けることにより達成される。少なくとも１つの信号処理器は、挿入される不連続な食物片と、投入シュート内に到達している送り込む連続する人間の指、手又は腕とを区別するために構成される信号処理アルゴリズムを具備する。信号処理アルゴリズムはさらに、それが不連続な人間の手／腕／指であるかを確認し、そうである場合、消費者に通知するように構成される。
【０００８】
ある実施例において、少なくとも１つの信号処理器は、投入シュートの内側表面上に配される少なくとも１つのセンサから受信される信号を処理するように構成される。この実施例は、信号処理器が人間の手／指／腕を食料品と区別するのを助ける貴重な情報を集めるように構成される。
【０００９】
他の実施例において、少なくとも１つのセンサは、食品加工要素から垂直距離で少なくとも１００ｍｍで、投入シュートの内側表面上に配される。前記センサは、これらセンサが損傷するのを防ぐために動く要素（すなわち、食品破砕プレート）から大きく離れて配され、同時に不注意で投入シュート内に入れられる人間の手／指／腕を検知することが可能である。
【００１０】
さらに他の実施例において、少なくとも１つのセンサは、供給器及び検出器を有する。供給器は、信号送信機とすることができる。検出器は、通り抜ける物体を検知する受信器とすることができる。供給器は、投入開口の頂部にぴったり位置決められる。検出器は供給器のはす向かいに置かれる。センサから受信される信号は、入れられている不連続な食物片と、投入シュート内に到達している送り込む連続する人間の指、手、腕とを区別するために、少なくとも１つの信号処理器により処理される。本実施例は、投入シュートの内側表面上に又は投入シュートの頂部に簡単に組み込まれることができるという利点を有する。
【００１１】
さらに他の実施例において、動作中、少なくとも１つの信号処理器は、信号中断期間を測定し、この信号中断期間が既定のしきい値よりも大きいかを確認し、大きい場合、ｉ）フードプロセッサへの電源供給をオフに切り替える、ｉｉ）フードプロセッサへの電源供給がオフに切り替えられたことを消費者に通知するための信号を起動するように構成され、この信号中断期間は、供給器からの信号が通過する食料品によりブロックされ、検出器により検出されない時間期間である。
【００１２】
食料品（例えば果物又は野菜）が投入開口を通り抜けるとき、信号は、数マイクロ秒間、中断される／遮られる／ブロックされる。検出器において信号が検出されない。その後、信号は再び検出器において検出される。動作中、人間の手が中にひっつかむとき、検出器は連続してブロックされる。
【００１３】
消費者が食品の加工を始めるとき、消費者は、時系列で、投入シュート内に食料品の食物片を送り込む。これらの食料品は、数ミリ秒、約５０−２００ミリ秒間信号をブロックし、その後検出器において信号がオンとなる。
【００１４】
消費者が自分の指で、その後自分の手で投入シュート内にひっつかみ始める状況において、信号は、より多くの時間、約５００ミリ秒間中断される／遮られる／止められる。信号処理器は、ｉ）フードプロセッサへの電源供給をオフに切り替える、ｉｉ）消費者に適切に通知するための信号を起動する。この通知は、誤警報のリスクを軽減し、消費者の安全を保障する助けとなる。これは、手／腕／指が投入開口にあることが原因で、フードプロセッサがオフに切り替えられたのであり、フードプロセッサにおける過負荷又は故障によるものではないことを消費者に確認するのに役立つ。消費者は、自分の手／腕／指を放すと、フードプロセッサをオンにすることができる。本実施例は、人間に連続的に接続される手／腕／指を食料品（例えば果物及び野菜又は肉）と区別する簡単で分かりやすい方法を提供する。
【００１５】
さらに他の実施例において、少なくとも１つのセンサは、光ゲートである。光ゲートは、供給器及び検出器を持つ。供給器は赤外線送信機とすることができる。検出器は光ゲートを通り抜ける物体を検出することができる。供給器又は発光器は、投入開口の頂部にちょうど位置決められる。検出器は、発光器のはす向かいに配される。この実施例は、光ゲートが投入シュートの内側表面上に簡単に組み込まれるという利点を有する。光ゲートは非機械式である。動く部品は存在せず、故に、妨害されない食料品の送り込みを保証する。
【００１６】
さらに他の実施例において、投入シュート内で自分の手／腕をいじくっている消費者を検出するための既定のしきい値は１０００ミリ秒である。動作中、光は、投入シュートを通り与えられ、フードプロセッサ内に落ちていく食料品（例えば果物及び野菜）により一瞬中断される／遮られる／ブロックされる。実験に基づいて、中断期間／遮られる期間／止めれられる／ブロックされる時間は、林檎の０．４秒から長い人参の０．７秒までの間である。人間の手／腕／指が投入シュートに入るとき、フードプロセッサの危険な部分に到達するまでの時間は、約１秒から２秒よりも比較的に長い。信号処理器は、光が既定のしきい値である１秒よりも長くオフであることを検出する、及び次の０．２秒以内にフードプロセッサをオフに切り替えるための信号を起動するように構成される。これは、消費者の安全を保障する。さらに、これは、投入処理が妨げられないという認識を消費者に与える。その上、妨害されない食料品の送り込みが保障される。その上、消費者が投入シュート内深くにひっつかもうとする場合、安全が保障される。
【００１７】
さらに他の実施例において、投入開口は、この投入開口の最大及び最小断面寸法の平均が６５．５ｍｍよりも高く、投入開口の最大断面寸法が７６ｍｍよりも高いような寸法である。
【００１８】
投入シュート組立体の寸法は、国際電気標準（ＩＥＣ）規格により制限される。投入開口の最大及び最小断面寸法の平均は、肉挽き器(meat mincer)に対しては４５ｍｍを超えるべきではなく、他のフードプロセッサに対しては、６５．５ｍｍ以下である。前記投入開口の最大断面寸法は、７６ｍｍを超えるべきではない。これらのサイズの制限は、ＩＥＣ規格により定められ、消費者の安全な操作を保証する。他方、これらのサイズの制限は、面倒な事前に切る作業を必要とする。食料品は、投入シュート組立体を通り与えられるために、より小さな食物片に切らなければならない。これは、つまらなく、さらなる努力を必要とする。
【００１９】
本実施例は、投入開口の寸法を増大させ、それを広く保つことを可能にする。これは、食料品の大きな食物片が投入シュートを通り与えられることを可能にする。面倒な事前に切る作業の必要はない。食料品は、投入シュートを通り与えられるために、より小さな食物片に切られる必要はない。これは、努力と時間とを節約する。これは、食料品の簡単な送り込みを可能にする。
【００２０】
本実施例は、食料品の簡単な送り込みを達成する、及び同時に消費者の安全な作業を保証するような寸法の広い投入開口を提供する。これは、非機械的要素を用いて達成される。故に、それはメンテナンスフリーであり、ノイズ及び振動を生じず、投入シュートをきれいにするのが簡単である。本発明は、使いやすさ、強化された便利さ及び消費者への安全性を提供する。
【００２１】
本発明のこれら及び他の態様は、以下に説明される実施例から明らかであり、これら実施例を参照して説明される。
【図面の簡単な説明】
【００２２】
上述した態様、特徴及び利点はさらに、同じ参照番号は同じ又は類似の部分を示している付随する図面を参照して、単なる例として説明される。
【図１】本発明の実施例に従う例示的な概略的な投入シュートを示す。
【図２Ａ】本発明の他の実施例に従う例示的な投入シュートを概略的に示す。
【図２Ｂ】本発明の他の実施例に従う例示的な投入シュートを概略的に示す。
【図２Ｃ】本発明の他の実施例に従う例示的な投入シュートを概略的に示す。
【図２Ｄ】本発明の他の実施例に従う例示的な投入シュートを概略的に示す。
【図２Ｅ】本発明の他の実施例に従う例示的な投入シュートを概略的に示す。
【図２Ｆ】本発明の他の実施例に従う例示的な投入シュートを概略的に示す。
【図２Ｇ】本発明の他の実施例に従う例示的な投入シュートを概略的に示す。
【図３】本発明の実施例に従う投入シュートの概略的な例示的な動作を示す。
【図４】本発明の実施例に従う例示的なフードプロセッサを示す。
【発明を実施するための形態】
【００２３】
フードプロセッサは、近年人気が高まっている。市販のフードプロセッサは、野菜、果物及び肉を素早くスライスにする、パルプ（どろどろ）にする、挽く又は細かく切る機能を持っている。一般的に、フードプロセッサは、様々な交換可能な回転ブレード（例えば食品破砕要素）を駆動させるために接続される電気モーターを有する。この回転ブレードは、大きな食物片をより小さな食物片にスライスする、細かく切る、すりつぶす又は切るの何れかに適応することができる。加工される食品は、垂直な管状の投入シュートを通り与えられる。この管状の投入シュートは一般的に、回転するブレードに対し偏心した位置であり、又は回転するスピンドル／スクリューの頂部に置かれる。そのサイズ及び形状は投入シュートの内側に対応しているプッシャーが食料品を下方に押し込み、回転するブレード又はスクリューと接触するのに使用される。
【００２４】
ここで図１を参照すると、例示的な投入シュート１００が透明なプッシャー１０２を協働している。透明なプッシャー１０２は、食品を加工するフードプロセッサ１０４内に食料品を押し込むために、投入シュート１００を通りスライドするような寸法である。
【００２５】
透明なプッシャー１０２は、センサ信号を通り抜けさせることが可能であり、例えば可視光又は不可視光（例えば近赤外線、紫外線等）をエミッタから検出器／受信器に伝わるように設計されるプッシャーである。さらに、透明なプッシャー１０２は、プッシャーが投入シュート内にあるとき、センサ信号を通り抜けさせる又はセンサ信号を受信器／検出器に導くことが可能である。
【００２６】
信号処理器１１０は、投入シュート１００の内側表面又は頂部に配される。この信号処理器は、入れられている不連続な食物片と、投入シュート内に到達している送り込む連続する人間の指、手又は腕とを区別するように構成される信号処理アルゴリズムを具備する。信号処理アルゴリズムはさらに、それが不連続な人間の手／腕／指であるかどうかを確認し、もしそうである場合、消費者に通知するように構成される。これは、消費者が危険な損傷をするのを防ぐことができる。
【００２７】
センサ１２０は、投入シュートの内側表面又は頂部に配される。信号処理器１１０は、センサ１２０から受信した信号を処理し、入れられている不連続な食物片と、投入シュート内に到達している送り込む連続する人間の指、手又は腕とを区別するように構成される。
【００２８】
センサ１２０は、食品加工要素１０６から垂直距離で少なくとも１００ｍｍに配される。センサ１２０は、センサが損傷するのを避けるために、運動する要素（すなわち、食品破砕プレート）からかなり離れて配され、同時に不注意で投入シュート内に入れられる人間の手／指／腕を検知することが可能である。
【００２９】
少なくとも１つのセンサ１２０は、供給器１２０Ａ及び検出器／受信器１２０Ｂを有する。供給器は、信号送信機とすることができる。検出器は、投入シュートを通り抜ける物体を検出するための受信器とすることができる。供給器は、投入開口の頂部にぴったり位置決められる。検出器は、前記供給器のはす向かいに置かれる。センサから受信される信号は、入れられている不連続な食物片と、投入シュート内に到達している送り込む連続する人間の指／手／腕とを区別するために、前記少なくとも１つの信号処理器１１０により処理される。センサは、投入シュートの内側表面上に簡単に組み込まれることができる。
【００３０】
動作中、前記少なくとも１つの信号処理器１２０は、信号中断期間を測定するように構成され、この信号中断期間は、センサからの信号は、通過している食料品によりブロックされ、検出器１２０Ｂにより検出されない時間期間である。この信号処理器はさらに、この信号中断期間が既定のしきい値より大きいかを確認し、大きい場合、ｉ）フードプロセッサ１０４への電源供給をオフに切り替える、ｉｉ）フードプロセッサへの電源供給がオフに切り替えられたことを消費者に通知するための信号を起動するように構成される。
【００３１】
食料品（例えば果物又は野菜）が投入開口を通り抜けるとき、数マイクロ秒間、信号が中断／遮られる。検出器において信号は検出されない。その後、信号は再び検出器で検出される。動作中、人間の手がその中にひっつかむとき、検出器は連続してブロックされる。
【００３２】
消費者が食品の加工を始めるとき、消費者は時間系列で、食料品の食物片を投入シュート内に送り込む。これらの食料品は、数ミリ秒、約５０−２００ミリ秒間信号をブロックし、その後、前記信号は検出器でＯＮとなる。
【００３３】
消費者が投入シュート内で自分の指、及びその後自分の手をいじくり始める状況において、信号は約５００ミリ秒よりも多くの時間中断される／遮られる／止められる。信号処理器１１０は、ｉ）フードプロセッサへの電源供給をオフに切り替える、ｉｉ）消費者に適切に通知するための信号を起動するように構成される。この通知は、誤警報というリスクを軽減し、消費者の安全を保障するのに役立つ。これは、投入シュート内にある手／腕／指が原因でフードプロセッサがオフに切り替えられるが、フードプロセッサの過負荷又は故障によるものではないことを消費者に確認するのに役立つ。その代わりに、消費者は自分の手を引っ込め、終了ボタンを押すことができる。消費者は、自分の手／腕／指を放すと、フードプロセッサをオンにすることができる。この実施例は、手／腕／指と食料品（例えば果物及び野菜）とを区別する簡単で分かりやすい方法を提供する。
【００３４】
図２Ａから２Ｅを参照すると、投入シュートの内側表面上に配されるセンサ１２０は、光ゲートである。光ゲートは、供給器１２０Ａ及び検出器１２０Ｂを持つ。供給器は、赤外線送信機とすることができる。検出器は、この光ゲートを通り抜ける物体を検出することができる。供給器又は発光器は、投入開口の頂部にぴったり位置決められる。検出器１２０Ｂは、発光器／供給器のはす向かいに置かれる。光ゲートは、投入シュート１００の内側表面上に簡単に組み込まれる。光ゲートは、非機械式である。動く部品は存在せず、故に、妨害されない食料品の送り込みを保証する。
【００３５】
図２Ｆを参照すると、幾つかの実施例において、２つ以上の光源が送り込む投入開口を通る人間の手／指／腕を１００％防ぐ、及び果物と人間の手／指／腕とをより良く識別するために設けられる。
【００３６】
図２Ｇを参照すると、幾つかの実施例において、光ゲートが投入シュートの頂部の内側表面上に配される。
【００３７】
図３を参照すると、食料品（例えば果物又は野菜）が投入開口を通り抜けるとき、光は、数マイクロ秒間遮られる／ブロックされる／中断される。検出器１２０Ｂにおいて光は検出されない。その後、光は再び検出器で検出される。動作中、人間の手がその中にひっつかむとき、検出器は連続してブロックされる。
【００３８】
消費者が食品の加工を始めるとき、消費者は時間系列で、食料品の食物片を投入シュート内に送り込む。これらの食料品は、数ミリ秒、約５０−２００ミリ秒間光ゲートをブロックし、その後、光は検出器でＯＮとなる。
【００３９】
消費者が投入シュート内で自分の指、及びその後自分の手をいじくり始める状況において、光信号は約５００ミリ秒よりも多くの時間ブロックされる／遮られる／止められる。信号処理器１１０は、ｉ）フードプロセッサへの電源供給をオフに切り替える、ｉｉ）消費者に適切に通知するための信号を起動するように構成される。この通知は、誤警報というリスクを軽減し、消費者の安全を保障するのに役立つ。これは、投入シュート内にある手／腕／指が原因でフードプロセッサがオフに切り替えられるが、フードプロセッサの過負荷又は故障によるものではないことを消費者に確認することに役立つ。消費者は、自分の手／腕／指を放すと、フードプロセッサをオンにすることができる。故に、これは、手／腕／指と食料品（例えば果物及び野菜）とを区別する簡単で分かりやすい方法を提供する。
【００４０】
図３に示される実験データを参照すると、動作中、投入シュートを通り与えられ、フードプロセッサ１０４内に落ちていく食料品（例えば果物及び野菜）により一瞬光が遮られる。遮られる期間／中断期間／止められる／ブロックされる時間は、林檎の０．４秒から、長い人参の０．７秒までの間である。人間の手／腕が投入開口に入るとき、フードプロセッサの危険な部分に到達するまでの時間は、約１から２秒よりも比較的に長い。信号処理器１１０は、光が既定のしきい値である１秒よりも長い間、オフであることを検出する、及びｉ）次の０．２秒内にフードプロセッサをオフに切り替える、ｉｉ）消費者に適切に通知するように構成される。これは消費者の安全を保障する。さらに、これは、投入処理が妨げられていないという認識を消費者に与える。その上、妨害されない食料品の送り込みが保証される。その上、消費者が投入シュート内深くまでひっつかもうとする場合、安全が保障される。
【００４１】
幾つかの実施例において、サーモパイル(thermos-piles)は、人間の手／指／腕と食料品（例えば果物及び野菜）とを確実に区別するために人間の皮膚の温度を測定するのに使用される。
【００４２】
さらに幾つかの実施例において、皮膚センサは、人間の皮膚の存在を検出するのに使用される。皮膚センサは、各々が固有の波長である複数のＬＥＤ及び広帯域のフォト検出器を使用して、解析される食料品からの複数の波長での光の軽減を測定する。食料品のスペクトル軽減の特性は、人間の皮膚と人間の皮膚ではない食品材料（例えばバナナ、林檎）とをより良く区別するのに使用される。代替方法は、メラニン含有量を測定することであり、これは、皮膚の色に寄与する主な要素である。これは、人間の手／腕／指と食料品とをより良く区別するための貴重な情報である。
【００４３】
その代わりに、血流イメージングセンサが人間の指／手／腕と食料品との区別をさらに強化するのに使用される。血流イメージングセンサは、投入シュートに入ってくる食料品の血流を検出する。これは、人間の手／腕／指と食料品とをより良く区別するための貴重な情報である。
【００４４】
幾つかの実施例において、センサ、すなわち光ゲート、サーモパイル、皮膚センサ及び血流イメージングセンサの組み合わせは、手／指／腕が投入シュート内に入ることを１００％避ける、及び食料品（例えば、バナナ、林檎等）と人間の手／指／腕とを良好に識別するように適切に構成される。
【００４５】
図４は、フードプロセッサにより加工される（スライスにする、混合する、切り刻む、すりつぶす、パルプにする）食料品を送り込むための投入シュート１００を持つフードプロセッサ１０４を示す。制御ユニット４５０は、ハウジング４０３の外側に設けられている。フードプロセッサの動作を制御する、すなわちフードプロセッサを始動又は停止する、回転ブレードの速度を制御する、食品を加工する期間のタイマーを提供するための制御ユニットを持つフードプロセッサが広く知られている。ある実施例において、信号処理器１１０は、投入シュート１００の内側表面上に配される。
【００４６】
透明なプッシャー１０２は、投入シュート１００と協働して、食料品をフードプロセッサ１０４内に押し込む。投入シュートは、信号処理器１１０を持つ。センサ１２０は、その場所から食料品がフードプロセッサ内に入る頂部において、投入シュートの内側表面上に配される。ある実施例において、センサ１２０は、供給器１２０Ａ及び検出器１２０Ｂを持つ光ゲートである。この供給器は、赤外線送信機とすることができる。検出器は、光ゲートを通り抜ける物体を検出することが可能である。供給器又は発光器は、投入シュートの頂部にぴったり位置決められる。検出器１２０は、発光器のはす向かいに配される。
【００４７】
動作中、食料品（例えば果物及び野菜）が投入シュートを通り抜けるとき、光は数マイクロ秒間遮られる。検出器において光は検出されない。その後、光は再び検出器で検出される。動作中、手がその中にひっつかむとき、検出器は連続してブロックされる。
【００４８】
消費者が食品の加工を始めるとき、消費者は時間系列で、食料品の食物片を投入シュート内に送り込む。これらの食料品は、数ミリ秒、約５０−２００ミリ秒間光ゲートをブロックし、その後、光は検出器でオンとなる。
【００４９】
消費者が投入シュート内で自分の指、及びその後自分の手をいじくり始める状況において、光信号は約５００ミリ秒よりも多くの時間ブロックされる／遮られる／止められる。信号処理器１１０は、ｉ）消費者に適切に通知する（例えば視覚表示器／音響メッセージ）４３０、ｉｉ）制御ユニット４５０にモーターを停止させるための信号を起動するように構成される。その上、消費者は、フードプロセッサを再始動させるために、安全スイッチ又はオン−オフテイスター(on-off-taster)を終了する。
【００５０】
さらに、動作中、投入シュートを通り抜け、フードプロセッサ内に落ちていく食料品（例えば果物及び野菜）により一瞬光が遮られる。実験に基づいて、中断期間／遮られる期間／止められる／ブロックされる時間は、林檎の０．４秒から長い人参の０．７までの間である。人間の手／腕が投入シュート内に入るとき、フードプロセッサの危険な部分に到達するまでの時間は、約１秒から２秒よりも長い。信号処理器１１０は、光が、既定のしきい値である１秒よりも長い間オフであることを検出し、次の０．２秒以内に制御ユニット４５０がフードプロセッサをオフに切り替えるための信号を起動するように構成される。信号処理器１１０は、有線／ワイヤレス又は他の如何なる適切な既知の機構を介して制御ユニット４５０が信号を起動することができる。さらに、これは、投入処理が妨害されていないという認識を消費者に与える。その上、邪魔されない食料品の送り込みが保証される。その上、消費者が投入シュート内深くまでひっつかもうとする場合、安全が保障される。
【００５１】
図４を参照すると、ある実施例において、投入開口は、投入開口の最大及び最小断面寸法の平均が６５．５ｍｍよりも高い、及び投入開口の最大断面寸法が７６ｍｍよりも高いような寸法である。
【００５２】
投入シュート組立体の寸法は、国際電気標準（ＩＥＣ）規格により制限される。投入開口の最大及び最小断面寸法の平均は、肉挽き器に対しては４５ｍｍを超えるべきではなく、他のフードプロセッサに対しては、６５．５ｍｍ以下である。前記投入開口の最大断面寸法は、７６ｍｍを超えるべきではない。これらのサイズの制限は、ＩＥＣ規格により定められ、消費者の安全な操作を保証する。他方、これらのサイズの制限は、面倒な事前に切る作業を必要とする。食料品は、投入シュート組立体を通り与えられるために、より小さな食物片に切らなければならない。これは、つまらなく、さらなる努力を必要とする。
【００５３】
本実施例は、投入開口の寸法を増大させ、それを広く保つことを可能にする。これは、食料品の大きな食物片が投入シュートを通り与えられることを可能にする。面倒な事前に切る作業の必要はない。食料品は、投入シュートを通り与えられるために、より小さな食物片に切られる必要はない。これは、努力と時間とを節約する。これは、食料品の簡単な送り込みを可能にする。
【００５４】
本実施例は、食料品の簡単な送り込みを達成する、及び同時に消費者の安全な作業を保証するような寸法である広い投入開口を提供する。これは、非機械的要素を用いて達成される。故に、それはメンテナンスフリーであり、ノイズ及び振動を生じず、投入シュートをきれいにするのが簡単である。本発明は、使いやすさ、強化された便利さ及び消費者の安全を提供する。
【００５５】
上述した実施例は、本発明を限定するのではなく寧ろ、説明するものであること、及び当業者は、不随する特許請求の範囲から外れることなく、多くの代替実施例を設計することが可能であることに注意すべきである。請求項において、括弧間に置かれる如何なる参照符号も請求項を限定するとは考えない。"有する"という言葉は、挙げられた要素又はステップ以外の要素又はステップを排除しない。複数あると述べていなくても、それらが複数あることを排除しない。本発明は、幾つかの別個の要素を有するハードウェアを用いて、及び／又は適切にプログラムされた処理器を用いて実施されてよい。幾つかの手段を列挙している装置の請求項において、これら手段の幾つかが同一のハードウェアにより具現化されてよい。ある方法が互いに異なる従属請求項に挙げられているという単なる事実は、これらの方法の組み合わせが有利に使用され得ないことを示してはいない。
【図１】
2019524189.tif 000003
【図２Ａ】
2019524189.tif 000004
【図２Ｂ】
2019524189.tif 000005
【図２Ｃ】
2019524189.tif 000006
【図２Ｄ】
2019524189.tif 000007
【図２Ｅ】
2019524189.tif 000008
【図２Ｆ】
2019524189.tif 000009
【図２Ｇ】
2019524189.tif 000010
【図３】
2019524189.tif 000011
【図４】
2019524189.tif 000012
【国際調査報告】
2019524189.tif 000013
2019524189.tif 000014